(57)【要約】【課題】構成を簡素化することができる緩衝機構を提供する。【解決手段】枠体に支持される左右の扉体１１の開閉動作時の衝撃を和らげる緩衝機構２０であって、枠体１３又は左右の扉体１１のいずれか一方に回転可能に支持されるピニオン３０と、ピニオン３０の回転に抵抗を与えるロータリーダンパー４０と、枠体又は左右の扉体１１のいずれか他方に固定され、開閉動作時にピニオン３０と接触してピニオン３０を回転させるラックパーツ５０と、を具備する。【選択図】図４
2017066632.tif 000002
【特許請求の範囲】
【請求項１】
枠体に支持される扉体の開閉動作時の衝撃を和らげる緩衝機構であって、
前記枠体又は前記扉体のいずれか一方に回転可能に支持される回転体と、
前記回転体の回転に抵抗を与える抵抗部材と、
前記枠体又は前記扉体のいずれか他方に固定され、前記開閉動作時に前記回転体と接触して前記回転体を回転させる接触部材と、
を具備する、
緩衝機構。
【請求項２】
前記抵抗部材は、
ロータリーダンパーによって構成される、
請求項１に記載の緩衝機構。
【請求項３】
前記回転体は、
ピニオンによって構成され、
前記接触部材は、
前記ピニオンと歯合可能なラックを具備する、
請求項１又は請求項２に記載の緩衝機構。
【請求項４】
前記接触部材は、
前記ラックと対向すると共に、前記開閉動作時に前記回転体が前記ラックと歯合した状態で通過可能な間隔を、前記ラックとの間に空けて配置される平坦部をさらに具備する、
請求項３に記載の緩衝機構。
【請求項５】
前記接触部材は、
前記回転体を前記ラックへと導くガイド部をさらに具備する、
請求項３又は請求項４に記載の緩衝機構。
【請求項６】
前記回転体又は前記接触部材のうち前記枠体に固定される一方は、
前記回転体又は前記接触部材のうち前記扉体に固定される他方の、前記開閉動作における移動範囲の端部に配置される、
請求項１から請求項５までのいずれか一項に記載の緩衝機構。
【請求項７】
前記接触部材は、
前記他方が前記移動範囲の端部に向かうにつれて、前記他方の移動距離に対する前記回転体の回転角度を大きくする、
請求項６に記載の緩衝機構。
【請求項８】
前記扉体は、
前記枠体に固定されるレールに沿って摺動可能に構成され、
前記回転体及び前記接触部材は、
前記レールに収納される、
請求項１から請求項７までのいずれか一項に記載の緩衝機構。
【発明の詳細な説明】
【技術分野】
【０００１】
本発明は、枠体に支持される扉体の開閉動作によって生じる衝撃を和らげるための緩衝機構の技術に関する。
【背景技術】
【０００２】
従来、枠体に支持される扉体の開閉動作によって生じる衝撃を和らげるための緩衝機構の技術は公知となっている。例えば、特許文献１に記載の如くである。
【０００３】
特許文献１に記載の緩衝機構（緩衝装置）は、一方の扉体（戸板）に取り付けられる第１取付部材と、他方の扉体に取り付けられる第２取付部材と、第１取付部材と第２取付部材とを回動可能に連結するヒンジ部と、第１取付部材と第２取付部材との回動を制動する制動機構とを具備する。制動機構は、ダンパと当該ダンパを覆う当接部材とを具備し、第２取付部材に収容される。当接部材は、扉体が閉じられるときに第１取付部材に押圧されてダンパを圧縮する。これによって、前記緩衝機構は、ダンパの反発力で扉体を閉じるときに生じる衝撃を和らげることができる。
【０００４】
しかしながら、前記緩衝機構は、蝶番内部で前記衝撃を緩和可能な構成であるため、制動機構の動作に干渉しないようにヒンジ部を形成したり、多くの部品を連結する必要がある。このため、前記緩衝機構は、その構成を簡素化することが困難であった。
【先行技術文献】
【特許文献】
【０００５】
【特許文献１】特許５３３６７１９号公報
【発明の概要】
【発明が解決しようとする課題】
【０００６】
本発明は、以上の如き状況を鑑みてなされたものであり、その解決しようとする課題は構成を簡素化することが可能な緩衝機構を提供するものである。
【課題を解決するための手段】
【０００７】
本発明の解決しようとする課題は以上の如くであり、次にこの課題を解決するための手段を説明する。
【０００８】
即ち、請求項１においては、枠体に支持される扉体の開閉動作時の衝撃を和らげる緩衝機構であって、前記枠体又は前記扉体のいずれか一方に回転可能に支持される回転体と、前記回転体の回転に抵抗を与える抵抗部材と、前記枠体又は前記扉体のいずれか他方に固定され、前記開閉動作時に前記回転体と接触して前記回転体を回転させる接触部材と、を具備するものである。
【０００９】
請求項２においては、前記抵抗部材は、ロータリーダンパーによって構成されるものである。
【００１０】
請求項３においては、前記回転体は、ピニオンによって構成され、前記接触部材は、前記ピニオンと歯合可能なラックを具備するものである。
【００１１】
請求項４においては、前記接触部材は、前記ラックと対向すると共に、前記開閉動作時に前記回転体が前記ラックと歯合した状態で通過可能な間隔を、前記ラックとの間に空けて配置される平坦部をさらに具備するものである。
【００１２】
請求項５においては、前記接触部材は、前記回転体を前記ラックへと導くガイド部をさらに具備するものである。
【００１３】
請求項６においては、前記回転体又は前記接触部材のうち前記枠体に固定される一方は、前記回転体又は前記接触部材のうち前記扉体に固定される他方の、前記開閉動作における移動範囲の端部に配置されるものである。
【００１４】
請求項７においては、前記接触部材は、前記他方が前記移動範囲の端部に向かうにつれて、前記他方の移動距離に対する前記回転体の回転角度を大きくするものである。
【００１５】
請求項８においては、前記扉体は、前記枠体に固定されるレールに沿って摺動可能に構成され、前記回転体及び前記接触部材は、前記レールに収納されるものである。
【発明の効果】
【００１６】
本発明の効果として、以下に示すような効果を奏する。
【００１７】
請求項１においては、構成を簡素化することができる。
【００１８】
請求項２においては、構成を簡素化することができる。
【００１９】
請求項３においては、構成を簡素化することができる。
【００２０】
請求項４においては、開閉動作時の衝撃を確実に和らげることができる。
【００２１】
請求項５においては、開閉動作時の衝撃を確実に和らげることができる。
【００２２】
請求項６においては、扉体を全閉状態や全開状態にしたときに生じる衝撃を和らげることができる。
【００２３】
請求項７においては、閉塞動作や開放動作を滑らかにすることができる。
【００２４】
請求項８においては、美観を向上することができる。
【図面の簡単な説明】
【００２５】
【図１】折れ戸を示した斜視図。
【図２】（ａ）本発明の一実施形態に係る緩衝機構を示した平面断面図。（ｂ）図２（ａ）に示す矢印Ａ−Ａ断面図。
【図３】レール及びラックパーツを示した分解斜視図。
【図４】緩衝機構を示した一部断面斜視図。
【図５】（ａ）全開状態の折れ戸を示した平面模式図。（ｂ）ある程度閉じられた状態の折れ戸を示した平面模式図。（ｃ）図５（ｂ）の状態からさらに閉じられた折れ戸を示した平面模式図。（ｄ）全閉状態の折れ戸を示した平面模式図。
【図６】図５（ｂ）の一部拡大平面断面図。
【図７】ラックとピニオンとが歯合した状態を示した平面断面図。
【図８】図５（ｃ）の一部拡大平面断面図。
【図９】変形例に係る緩衝機構を示した平面断面図。
【発明を実施するための形態】
【００２６】
以下の説明においては、図中に記した矢印に従って、上下方向、左右方向及び前後方向をそれぞれ定義する。
【００２７】
以下では、本発明の一実施形態に係る緩衝機構２０について説明する。
【００２８】
本実施形態に係る緩衝機構２０は、扉体１１を閉じるときに生じる衝撃を和らげるためのものである。図１に示すように、緩衝機構２０は、折れ戸１０に設けられる。
【００２９】
まず、折れ戸１０の構成について簡単に説明する。
【００３０】
折れ戸１０は、収納に設けられ、当該収納を開閉するためのものである。図１及び図２に示すように、折れ戸１０は、主として左右の扉体１１、蝶番１２、枠体１３、レール１４及びランナー１５を具備する。
【００３１】
左右の扉体１１は、その板面を前後方向に向けて配置される。左右の扉体１１は、左右方向に並べて配置される。右側の扉体１１の上面及び下面における右端部には、支持軸１１ａが設けられる。支持軸１１ａは、軸線方向を上下方向に向けて配置され、右側の扉体１１を回動可能に支持する。
【００３２】
蝶番１２は、左右の扉体１１を回動可能に連結するためのものである。蝶番１２は、上下方向に間隔を空けて三つ配置される。蝶番１２は、左右の扉体１１に固定される一対の羽根板及び当該一対の羽根板を回動可能に連結する軸部材等を具備する。蝶番１２は、左右の扉体１１がある程度まで閉じられると、バネの付勢力等によって左右の扉体１１を全閉状態（出入口を塞いだ状態）まで導くキャッチ機能を有する。
【００３３】
枠体１３は、左右の扉体１１を支持するためのものである。枠体１３は、その下端部が開口する正面視略逆Ｕ字状に形成される。枠体１３の内側には、左右の扉体１１が配置される。枠体１３は、上側の支持軸１１ａを回動可能に支持する。
【００３４】
レール１４は、左側の扉体１１を移動させるためのものである。レール１４は、左右方向に沿って延びるように形成される。レール１４は、その下端部が開口する側面視略逆Ｕ字状に形成される。レール１４は、枠体１３の上部に固定され、左右の扉体１１と枠体１３との間に配置される。図２及び図３に示すように、レール１４は、突出部１４ａ及び取付孔１４ｂを具備する。
【００３５】
突出部１４ａは、レール１４の内部に形成される。突出部１４ａは、レール１４の前部及び後部から前後中央部に向けてそれぞれ突出するように形成される。突出部１４ａは、レール１４の下部に配置される。突出部１４ａは、レール１４の左端部から右端部に亘って形成される。
【００３６】
取付孔１４ｂは、レール１４の前部及び後部に形成される正面視略円状の孔である。取付孔１４ｂは、レール１４を前後方向に貫通する。取付孔１４ｂは、レール１４の左端部に配置される。前後の取付孔１４ｂは、左右方向に間隔を空けて二つ形成される。
【００３７】
図２及び図４に示すように、ランナー１５は、レール１４を摺動するものである。ランナー１５は、上方向に向かうにつれて外径が小さくなるような略円錐台状に形成される。ランナー１５は、左側の扉体１１の左端部（戸先側の端部）に設けられる。ランナー１５は、後述する緩衝機構２０のロータリーダンパー４０を介して左側の扉体１１に支持される。ランナー１５は、その外周面がレール１４の突出部１４ａと当接する。
【００３８】
このように構成される折れ戸１０の左右の扉体１１は、開閉されるときに支持軸１１ａ及び蝶番１２によってその姿勢（板面の向き）を変えながら左右方向に移動する（図５参照）。このとき、ランナー１５は、レール１４を左右方向に摺動する。
【００３９】
次に、緩衝機構２０の構成について説明する。
【００４０】
図１に示す状態（全閉状態）において、緩衝機構２０は、折れ戸１０の左上部に配置される。図２及び図４に示すように、緩衝機構２０は、ピニオン３０、ロータリーダンパー４０及びラックパーツ５０を具備する。
【００４１】
ピニオン３０は、左右の扉体１１が開閉されるときに回転されるものである。ピニオン３０は、その軸線方向を上下方向に向けて配置される。ピニオン３０は、ランナー１５に載置され、左側の扉体１１の左端部の上方に配置される。これによって、ピニオン３０は、レール１４と接触しないように（レール１４との間に隙間を空けた状態で）、レール１４に収納される。
【００４２】
ロータリーダンパー４０は、ピニオン３０の回転に抵抗を与えるためのものである。ロータリーダンパー４０は、左側の扉体１１の左端部に設けられる。ロータリーダンパー４０は、本体が左側の扉体１１の上面に形成された穴部（不図示）に収納され、ネジ等の締結部材によって左側の扉体１１に固定される。ロータリーダンパー４０は、回転軸４１を具備する。
【００４３】
回転軸４１は、その軸線方向を上下方向に向けて配置され、左側の扉体１１から上方向に突出する。回転軸４１は、ピニオン３０及びランナー１５を一体的に回転可能に支持する。
【００４４】
このように構成されるロータリーダンパー４０は、前記本体内に粘性の液体が貯溜された液体室を有する。回転軸４１の下部は、前記液体室に配置される。回転軸４１が回転されると、前記粘性の液体が押圧される。これによって、ロータリーダンパー４０は、回転軸４１の回転に抵抗を与える。
【００４５】
ラックパーツ５０は、ピニオン３０を回転させるためのものである。ラックパーツ５０は、その右端部が開口する平面視略Ｕ字状に形成される。図２及び図３に示すように、ラックパーツ５０は、その前後方向幅がレール１４の内部の前後方向幅と略同一となるように形成される。また、ラックパーツ５０は、その左右方向幅がレール１４の左右方向幅よりもある程度短くなる（本実施形態では五分の一程度の幅となる）ように形成される。ラックパーツ５０は、ラック５１、平坦部５２、接続部５３及び進入口５４を具備する。
【００４６】
ラック５１は、ラックパーツ５０の前部を成す部分である。ラック５１は、左右方向に延びるように形成される。ラック５１は、その内側面（後を向いた面）から後方向に突出する複数の歯を有し、ピニオン３０と歯合可能に構成される。前記複数の歯は、互いに左右方向に同一の間隔（ピニオン３０の歯の間隔に対応する間隔）を空けて配置される。ラック５１は、テーパ部５１ａ及び取付穴５１ｂを具備する。
【００４７】
テーパ部５１ａは、ラック５１の内側面における右端部に形成される。テーパ部５１ａは、右方向に向かうにつれて前方向に延びるように形成される。テーパ部５１ａは、ラック５１の上端部から下端部に亘って形成される。
【００４８】
取付穴５１ｂは、ラック５１の前側面で開口すると共に所定の深さを有する（貫通しない）穴である。取付穴５１ｂは、ラック５１の左端部及び右端部に形成される。取付穴５１ｂは、レール１４の取付孔１４ｂと同一の間隔を空けて配置される。
【００４９】
平坦部５２は、ラックパーツ５０の後部を成す部分である。平坦部５２は、左右方向に延びるように形成される。平坦部５２は、ラック５１と対向する。平坦部５２は、ピニオン３０とラック５１とが歯合した状態を保持できるような間隔を、ラック５１との間に空けて配置される。平坦部５２は、その内側面（前を向いた面）が平らな形状に形成される（歯を有しない）。図３及び図４に示すように、平坦部５２は、テーパ部５２ａ及び取付穴５２ｂを具備する。
【００５０】
テーパ部５２ａは、平坦部５２の内側面における右端部に形成される。テーパ部５２ａは、右方向に向かうにつれて後方向に延びるように形成される。テーパ部５２ａは、平坦部５２の上端部から下端部に亘って形成される。
【００５１】
取付穴５２ｂは、平坦部５２の後側面で開口すると共に所定の深さを有する（貫通しない）穴である。取付穴５２ｂは、平坦部５２の左端部及び右端部に形成される。取付穴５２ｂは、レール１４の取付孔１４ｂと同一の間隔を空けて配置される。取付穴５２ｂは、ラック５１の取付穴５１ｂの後方（正面視で重なる位置）に配置される。
【００５２】
接続部５３は、ラックパーツ５０の左端部を成す部分である。接続部５３は、前後方向に延びるように形成され、ラック５１の左端部と平坦部５２の左端部とを接続する。接続部５３の内側面（右を向いた面）は、真円の右半分を切り落としたような平面視略半円状に形成される。
【００５３】
進入口５４は、ラックパーツ５０の右端部で開口する部分である。進入口５４は、ラック５１及び平坦部５２の右端部（テーパ部５１ａ・５２ａの右端部）によって形成される。進入口５４は、ピニオン３０が進入可能な形状（平面視においてピニオン３０よりも大きな形状）に形成される。
【００５４】
このように構成されるラックパーツ５０は、レール１４の取付孔１４ｂ及び取付穴５１ｂ・５２ｂが正面視で重なるように、レール１４に挿入される。レール１４の前側の取付孔１４ｂ及びラック５１の取付穴５１ｂ、並びにレール１４の後側の取付孔１４ｂ及び平坦部５２の取付穴５２ｂにはビスＶが取り付けられる。これにより、ラックパーツ５０は、レール１４の左端部に固定される。こうして、ラックパーツ５０は、レール１４を介して枠体１３に固定される（図１参照）。
【００５５】
次に、緩衝機構２０の動作について説明する。以下では、説明の便宜上、図５（ａ）に示す全開状態（左右の扉体１１の板面が略左右方向を向いた状態）の左右の扉体１１を全閉状態にするまでの流れに沿って、緩衝機構２０の動作を説明する。なお、図５においては、説明の便宜上、蝶番１２、ピニオン３０及びラックパーツ５０を模式的に記載している。
【００５６】
図５（ａ）に示すように、ピニオン３０は、全開状態において、レール１４の右部に配置される。すなわち、ピニオン３０は、ラックパーツ５０に対して離間している。
【００５７】
図５（ｂ）に示すように、右側の扉体１１は、閉じられるときに、支持軸１１ａを中心として平面視時計回り方向に回動される。また、左側の扉体１１は、左方向に移動しながら蝶番１２によって回動される。ランナー１５は、レール１４を左方向に摺動する（図４参照）。この際、ランナー１５（及びピニオン３０等）は、回動しない。これにより、ピニオン３０は、左方向に移動してラックパーツ５０に接近される。図５（ｂ）に示す程度まで左右の扉体１１が閉じられると、蝶番１２は、前記キャッチ機能によって左右の扉体１１を全閉状態に導く（閉じる方向に付勢する）。
【００５８】
このとき、図５（ｂ）及び図６に示すように、ピニオン３０は、進入口５４からラックパーツ５０内（ラック５１と平坦部５２との間）に進入する。なお、図６、後述する図７及び図８に白塗りで示す矢印は、左右の扉体１１を閉じる勢いを模式的に示したものである。仮に、ピニオン３０がラックパーツ５０に対して前後方向にずれていた場合、テーパ部５１ａ・５２ａによってピニオン３０がラックパーツ５０内へと案内される。これによって、ピニオン３０とラックパーツ５０との位置を合わせることができる。
【００５９】
図６に示す状態から左右の扉体１１がさらに閉じられると、図７に示すように、ピニオン３０は、左方向に移動してラック５１と歯合（接触）する。この状態で左右の扉体１１がさらに閉じられると、ピニオン３０の前端部は、ラック５１によって右方向に押圧されることとなる。
【００６０】
これによって、図５（ｃ）及び図８に示すように、ピニオン３０、回転軸４１及びランナー１５は、平面視時計回り方向にトルクが加えられて回転される。ロータリーダンパー４０は、当該回転軸４１の回転に抵抗を与える。これによって、左右の扉体１１を閉じるために必要な力（閉じる方向に動かすために必要な力）が大きくなって、左右の扉体１１を閉じる勢いが弱められる。ピニオン３０、回転軸４１及びランナー１５は、ラックパーツ５０内を移動するときに、ラック５１によって継続的に回転される。ロータリーダンパー４０は、回転軸４１の回転に継続的に抵抗を与える。
【００６１】
前述の如く、平坦部５２は、ピニオン３０とラック５１とが歯合した状態を保持できるような間隔を、ラック５１との間に空けて配置されている。すなわち、平坦部５２は、ラック５１と歯合したピニオン３０のすぐ後方に配置されている。これによって、平坦部５２は、ピニオン３０がラックパーツ５０内を移動するときに、ピニオン３０が後方向にずれてラック５１との歯合状態が解除されることを防止できる。これによれば、ラックパーツ５０は、確実にピニオン３０を継続的に回転させることができる。
【００６２】
左右の扉体１１は、図５（ｃ）に示す状態からさらに閉じられると、図２（ａ）及び図５（ｄ）に示すように、全閉状態となる。ピニオン３０は、折れ戸１０が全閉状態となるまでラック５１によって継続的に回転される。これによれば、緩衝機構２０は、ロータリーダンパー４０によって左右の扉体１１を閉じるときの勢いを弱めることできるため、全閉状態にしたときの衝突音や衝撃を和らげることができる。特に、緩衝機構２０は、蝶番１２のキャッチ機能によって左右の扉体１１が全閉状態に導かれる（閉じるときの勢いが増してしまう）ような構成において、前記衝突音や衝撃を効果的に和らげることができる。
【００６３】
また、緩衝機構２０によれば、左右の扉体１１を全閉状態で保持する（ロータリーダンパー４０の抵抗力に打ち勝つ程度の力を加えなければ開かないようにする）ことができる。これにより、緩衝機構２０は、全閉状態となったときの衝撃で左右の扉体１１が跳ね返る（バタつく）ことを抑制できるため、折れ戸１０の操作性を向上することができる。
【００６４】
また、本実施形態に係る緩衝機構２０は、ピニオン３０やロータリーダンパー４０等の簡素な部品によって構成されるため、その構成を簡素化することができると共に製造コストを抑制することができる。また、緩衝機構２０は、少ない部品点数で左右の扉体１１を閉じるときに生じる衝突音や衝撃を和らげることができる。また、緩衝機構２０は、ピニオン３０やロータリーダンパー４０等をレール１４や左側の扉体１１に取り付けるだけであるため、既存の折れ戸１０にも簡単に適用する（後付する）ことができる。
【００６５】
また、本実施形態に係る緩衝機構２０は、左右の扉体１１を閉じるときに、ピニオン３０とラック５１とを歯合させるだけで、ピニオン３０（回転軸４１）を回転させることができる。これによって、緩衝機構２０は、簡単に左右の扉体１１を閉じるときの衝撃を和らげることができる。
【００６６】
また、本実施形態に係るラックパーツ５０は、テーパ部５１ａ・５２ａによってピニオン３０を内部に案内することができる。これによれば、左右の扉体１１を閉じるときにラック５１によってピニオン３０を確実に回転させることができる。このため、左右の扉体１１を閉じるときに生じる衝突音や衝撃を確実に和らげることができる。
【００６７】
また、本実施形態においては、ラック５１及び平坦部５２の右端部にテーパ部５１ａ・５２ａを形成している。これによれば、ピニオン３０をラックパーツ５０内に案内するための部材（ガイド用の部材）が必要なくなるため、部品点数を削減することができる。
【００６８】
また、本実施形態においては、ラック５１及び平坦部５２を接続部５３で接続することで、ラック５１と平坦部５２とを一体的に形成している。これによれば、部品点数を削減することができる。また、レール１４の前部及び後部の両側からラック５１及び平坦部５２を支持することができるため、ラック５１及び平坦部５２を安定した姿勢で保持することができる。
【００６９】
また、本実施形態に係るロータリーダンパー４０は、左側の扉体１１の上面に固定される。また、ピニオン３０及びラックパーツ５０は、左右の扉体１１よりも上方に配置される。これによれば、左側の扉体１１の板面に緩衝機構２０が露出するのを防止することができるため、美観を向上することができる。
【００７０】
また、本実施形態に係るロータリーダンパー４０の本体は、左側の扉体１１の上面に形成された孔に収納される。また、ピニオン３０及びラックパーツ５０は、レール１４に収納される。これによれば、緩衝機構２０がほとんど外部に露出しないため、美観を向上することができる（図１参照）。
【００７１】
また、本実施形態においては、ピニオン３０及びランナー１５が回転軸４１（一つの部材）によって支持される。これによれば、部品点数を削減することができる。
【００７２】
以上、本発明の実施形態を説明したが、本発明は上記構成に限定されるものではなく、特許請求の範囲に記載された発明の範囲内で種々の変更が可能である。
【００７３】
例えば、本実施形態において緩衝機構２０は折れ戸１０に設けられるものとしたが、本発明に係る緩衝機構の適用対象はこれに限定されるものでなく、例えば、引き戸や開き戸等であっても良い。
【００７４】
また、本実施形態に係る折れ戸１０は、収納を開閉するものとしたが、折れ戸１０の開閉対象はこれに限定されるものでなく、例えば、建物の出入口等であっても良い。
【００７５】
また、本実施形態に係るピニオン３０は、左側の扉体１１に支持されるものとしたが、本発明に係る回転体が支持される部材はこれに限定されるものでない。本発明に係る回転体は、例えば、右側の扉体１１に支持されるものであっても良い。また、本発明に係る回転体は、レール１４（枠体１３）に支持されるものであっても良い。この場合、本発明に係る接触部材は、左側の扉体１１又は右側の扉体１１に固定されるものであっても良い。また、本発明に係る回転体の取付位置は、扉体１１の左端部（戸先側の端部）に限定されるものでない。
【００７６】
また、本実施形態に係る緩衝機構２０は、左右の扉体１１を閉じるときに生じる衝撃を和らげるものとしたが、本発明に係る緩衝機構は、左右の扉体１１を開くときに生じる衝撃を和らげるものであっても良い。この場合、ラックパーツ５０は、レール１４の右部に固定されるものであっても良い。また、本発明に係る緩衝機構２０は、開閉動作時に生じる衝撃をそれぞれ和らげるものであっても良い。この場合、緩衝機構２０は、レール１４の左端部及び右部に固定される二つのラックパーツ５０を具備するものであっても良い。
【００７７】
以上の如く、本実施形態に係る緩衝機構２０は、枠体１３に支持される左右の扉体１１の開閉動作時の衝撃を和らげる緩衝機構２０であって、前記枠体１３又は前記左右の扉体１１のいずれか一方に回転可能に支持されるピニオン３０（回転体）と、前記ピニオン３０の回転に抵抗を与えるロータリーダンパー４０（抵抗部材）と、前記枠体１３又は前記左右の扉体１１のいずれか他方に固定され、前記開閉動作時に前記ピニオン３０と接触して前記ピニオン３０を回転させるラックパーツ５０（接触部材）と、を具備するものである。
【００７８】
このように構成することにより、構成を簡素化することができる。
【００７９】
また、前記抵抗部材は、ロータリーダンパー４０によって構成されるものである。
【００８０】
このように構成することにより、構成を簡素化することができる。
【００８１】
また、前記回転体は、ピニオン３０によって構成され、前記ラックパーツ５０は、前記ピニオン３０と歯合可能なラック５１を具備するものである。
【００８２】
このように構成することにより、構成を簡素化することができる。
【００８３】
また、前記ラックパーツ５０は、前記ラック５１と対向すると共に、前記開閉動作時に前記ピニオン３０が前記ラック５１と歯合した状態で通過可能な間隔を、前記ラック５１との間に空けて配置される平坦部５２をさらに具備するものである。
【００８４】
このように構成することにより、開閉動作時の衝撃を確実に和らげることができる。
【００８５】
また、前記ラックパーツ５０は、前記ピニオン３０を前記ラック５１へと導くテーパ部５１ａ・５２ａ（ガイド部）をさらに具備するものである。
【００８６】
このように構成することにより、開閉動作時の衝撃を確実に和らげることができる。
【００８７】
また、ラックパーツ５０（前記ピニオン３０又は前記ラックパーツ５０のうち前記枠体１３に固定される一方）は、ピニオン３０（前記ピニオン３０又は前記ラックパーツ５０のうち前記左右の扉体１１に固定される他方）の、前記開閉動作における移動範囲の端部に配置されるものである。
なお、本実施形態に係るピニオン３０の前記開閉動作における移動範囲は、レール１４の右部から左端部までである。より詳細には、閉じる動作における前記移動範囲の端部は、レール１４の左端部である（図５（ｄ）参照）。また、開く動作における前記移動範囲の端部は、レール１４の右部である（図５（ａ）参照）。
【００８８】
このように構成することにより、左右の扉体１１を全閉状態や全開状態にしたときに生じる衝撃を和らげることができる。
【００８９】
また、前記左右の扉体１１は、前記枠体１３に固定されるレール１４に沿って摺動可能に構成され、前記ピニオン３０及び前記ラックパーツ５０は、前記レール１４に収納されるものである。
【００９０】
このように構成することにより、美観を向上することができる。
【００９１】
なお、本実施形態に係るピニオン３０は、本発明に係る回転体の実施の一形態である。
また、本実施形態に係るロータリーダンパー４０は、本発明に係る抵抗部材の実施の一形態である。
また、本実施形態に係るラックパーツ５０は、本発明に係る接触部材の実施の一形態である。
また、本実施形態に係るテーパ部５１ａ・５２ａは、本発明に係るガイド部の実施の一形態である。
【００９２】
また、本実施形態に係るピニオン３０は、ロータリーダンパー４０の回転軸４１に支持されるものとしたが、本発明に係る回転体を支持する部材はこれに限定されるものでなく、所定の軸部材に支持されるものであっても良い。また、ロータリーダンパー４０は、前記所定の軸部材と連結されて前記所定の軸部材の回転に抵抗を与えるものであっても良い。
【００９３】
また、本実施形態に係るロータリーダンパー４０は、粘性の液体によってピニオン３０の回転に抵抗を与えるものとしたが、本発明に係るロータリーダンパーの種類はこれに限定されるものでない。本発明に係るロータリーダンパーは、例えば、コイルスプリングの付勢力によってピニオン３０の回転に抵抗を与えるものであっても良い。
【００９４】
また、本実施形態に係る緩衝機構２０は、ロータリーダンパー４０によってピニオン３０の回転に抵抗を与えるものとしたが、本発明に係る抵抗部材の構成はこれに限定されるものでない。本発明に係る抵抗部材は、例えば、回転軸４１の外周面に板状の弾性体を当接させてピニオン３０の回転に抵抗を与えても良い。
【００９５】
また、本実施形態に係る緩衝機構２０は、ラック５１にピニオン３０を歯合させて回転させるものとしたが、本発明に係る回転体を回転させるための手段は、これに限定されるものでない。本発明に係る緩衝機構は、例えば、外周面が平らな回転体を、接触部材の内側面で転動させても良い。
【００９６】
また、本実施形態に係るラック５１の歯は、左右方向に同一の間隔を空けて配置されるものとしたが、本発明に係るラックの歯の間隔は、これに限定されるものでない。本発明に係るラックの歯は、図９に示す別実施形態に係るラック１５１の歯のように、互いに異なる間隔を空けて配置されていても良い。
【００９７】
別実施形態に係るラック１５１は、左方向に向かうほど歯の間隔が狭くなるように構成される。これによって、別実施形態に係るラック１５１は、ピニオン３０がラックパーツ１５０内を左方向に移動するにつれて、ピニオン３０の移動距離に対する回転角度を大きくすることができる。これによれば、左右の扉体１１が全閉状態に近づくにつれて、ロータリーダンパー４０からの抵抗力を大きくすることができる。このため、別実施形態に係る緩衝機構１２０は、全閉状態にする際の動作を滑らかにすることができる。
【００９８】
以上の如く、別実施形態に係る緩衝機構１２０において、前記ラックパーツ１５０（接触部材）は、前記ピニオン３０（他方）が前記移動範囲の端部に向かうにつれて、前記ピニオン３０（他方）の移動距離に対する前記ピニオン３０の回転角度を大きくするものである。
【００９９】
このように構成することにより、閉塞動作や開放動作を滑らかにすることができる。
【符号の説明】
【０１００】
１１    扉体
１３    枠体
２０    緩衝機構
３０    ピニオン（回転体）
４０    ロータリーダンパー（抵抗部材）
５０    ラックパーツ（接触部材）
【図１】
2017066632.tif 000003
【図２】
2017066632.tif 000004
【図３】
2017066632.tif 000005
【図４】
2017066632.tif 000006
【図５】
2017066632.tif 000007
【図６】
2017066632.tif 000008
【図７】
2017066632.tif 000009
【図８】
2017066632.tif 000010
【図９】
2017066632.tif 000011